(57)【要約】【課題】  非常に高温・高湿度の条件で使用されても、庫体と断熱扉間の気密性が維持される気密保持構造を有する温蔵庫を提供することにある。【解決手段】  断熱扉２０の一側をヒンジ２４によって庫体１０に回動自在に枢支すると共に、上記断熱扉２０の自由端側を、ラッチ錠２５とラッチ受け２７から成るラッチ装置によって庫口枠１５に係合し、断熱扉２０の自由端側に、庫口枠１５と係合して断熱扉の膨出変形を防止する締付けハンドル１８を設け、断熱扉２０の内側面の周縁部に弾性変形可能な長尺状の扉パッキン３０を設け、この扉パッキン３０を、長手通しの弾性変形可能な中空パッキング材３１と、その中空パッキング材内に配設した長手通しの中実材３２により構成する。【選択図】        図１
2006296900.tif 000002
【特許請求の範囲】
【請求項１】
断熱性を有する庫体と、この庫体の庫口を開閉自在に閉塞する断熱扉とを備え、庫体内を所定の温度及び湿度に保持する温蔵庫において、
上記断熱扉の一側をヒンジによって上記庫体に回動自在に枢支すると共に、断熱扉の自由端側をラッチ装置によって庫口枠に係合し、
さらに上記断熱扉の自由端側に、庫口枠と係合して断熱扉の膨出変形を防止する締付けハンドルを設け、
上記断熱扉の内側面の周縁部に弾性変形可能な長尺状の扉パッキンを設け、この扉パッキンを、長手通しの弾性変形可能な中空パッキング材と、その中空パッキング材内に配設した長手通しの中実材により構成してなる、ことを特徴とする温蔵庫。
【請求項２】
請求項１記載の温蔵庫において、
上記締付けハンドルを、断熱扉の上部及び下部側の２箇所に設けた、ことを特徴とする温蔵庫。
【請求項３】
請求項１又は２記載の温蔵庫において、
上記扉パッキンを構成する中空パッキング材内の中実材を、断面円形に形成してなる、ことを特徴とする温蔵庫。
【発明の詳細な説明】
【技術分野】
【０００１】
この発明は、例えば、調理食品の保温や料理の再加熱等に使用される温蔵庫に関し、特にその庫体と断熱扉の間の気密保持構造に関するものである。
【背景技術】
【０００２】
一般に、温蔵庫は、調理物を収容して例えば８０°Ｃ程度の温度に保っておくための庫体と、この庫体に対して開閉可能にヒンジ連結されたドアとで構成される。
【０００３】
通常、庫体は金属製の外箱と金属製の内箱との間に断熱材を充填した断熱箱体により構成され、また、ドアは断熱箱体の開口を開閉自在に閉塞する断熱扉として構成される。そして、断熱扉の内側面の周縁部には、断熱箱体の開口縁に密接する弾性変形可能な長尺状の扉パッキンが方形枠状となって装着され、断熱箱体の開口に対して断熱扉を閉じた状態において、扉パッキンが弾性変形されて、温蔵庫の断熱箱体の内部の密閉を保持する構成になっている。
【０００４】
このような構成の温蔵庫としては、例えば特開平７−９５９２８号公報（特許文献１）に開示されたものがある。この特許文献１では、外箱と内箱を耐熱性の軟質材料から成る熱遮断部材を介して接続することにより、庫内の温度変化による内箱の収縮、膨張等による寸法変化を熱遮断部材にて吸収して断熱箱体の変形や反りを防止する（同公報、段落番号００１１、００１４）。また、特許文献１では、外箱と内箱の開口周縁部を、無端状に成形した熱遮断部材を介して接続することにより、熱遮断部材の収縮による隙間の発生を防止する（同公報、段落番号００１２、００１５）。
【特許文献１】特開平７−９５９２８号公報（段落番号００１１〜００１５）
【発明の開示】
【発明が解決しようとする課題】
【０００５】
しかしながら、特許文献１を含め、従来の温蔵庫においては、次のような課題がある。すなわち、最近の温蔵庫はその用途が広がり、庫内は温度８０℃、湿度９０％という雰囲気に維持されることがある。このような非常に高温・高湿度の条件で使用された場合、従来の温蔵庫では、断熱扉が外側に凹状に反り出し、断熱扉の上下端部が最も外側に膨出した形に変形し、これに起因して断熱扉の縁部では、扉パッキンが部分的に相手側の庫口枠から離れ、そこに隙間を生じてしまうことがあった。
【０００６】
そこで、上記のように非常に高温・高湿度の条件で使用されても、断熱扉と断熱箱体（庫体）の庫口枠間に隙間が発生せず、密着性が維持される、断熱箱体と断熱扉の間の気密保持構造の提供が望まれている。
【０００７】
特許文献１は、断熱箱体について、その変形や反りの問題、及び外箱と内箱の開口周縁部における熱遮断部材の収縮による隙間の発生の問題については言及しているが、断熱扉の反りに起因して断熱扉と断熱箱体（庫口枠）間に隙間が発生してしまう問題については、示唆するところがない。
【０００８】
この発明は、上記事情に鑑みなされたもので、非常に高温・高湿度の条件で使用されても、庫体と断熱扉間の気密性が維持される気密保持構造を持った温蔵庫を提供することを課題とする。
【課題を解決するための手段】
【０００９】
上記目的を達成するため、この発明の温蔵庫は、断熱性を有する庫体と、この庫体の庫口を開閉自在に閉塞する断熱扉とを備え、庫体内を所定の温度及び湿度に保持する温蔵庫において、  上記断熱扉の一側をヒンジによって上記庫体に回動自在に枢支すると共に、断熱扉の自由端側をラッチ装置によって庫口枠に係合し、  上記断熱扉の自由端側に、庫口枠と係合して断熱扉の膨出変形を防止する締付けハンドルを設け、  上記断熱扉の内側面の周縁部に弾性変形可能な長尺状の扉パッキンを設け、この扉パッキンを、長手通しの弾性変形可能な中空パッキング材と、その中空パッキング材内に配設した長手通しの中実材により構成したことを特徴とする（請求項１）。
【００１０】
この発明の温蔵庫において、上記締付けハンドルを、断熱扉の上部及び下部側の２箇所に設ける方が好ましい（請求項２）。
【００１１】
また、上記扉パッキンを構成する中空パッキング材内の中実材の断面形状は任意の形状であっても差し支えないが、断面円形である方が好ましい（請求項３）。
【発明の効果】
【００１２】
（１）請求項１記載の発明によれば、断熱扉の自由端側に、庫口枠と係合して断熱扉の膨出変形を防止する締付けハンドルを設けたので、庫内温度が非常に高温・高湿度の条件で使用されて断熱扉が外側に膨出変形する場合でも、その断熱扉の縁部における変形が締付けハンドルにより阻止される。このため、断熱扉の縁部において扉パッキンが部分的に相手側の庫口枠から離れて、そこに隙間を生じてしまう不都合が防止される。
【００１３】
また、断熱扉の内側面の周縁部に設ける弾性変形可能な長尺状の扉パッキンは、長手通しの弾性変形可能な中空パッキング材と、その中空パッキング材内に配設した長手通しの中実材により構成したので、中空パッキング材が相手方の庫口枠に当接した際、中空パッキング材の内部に在る中実材により内側（裏側）から押さえる形になる。したがって、庫内の高温・高湿度の雰囲気によって中空パッキング材が劣化して、例えば潰れたままで元に戻らない状態を中実材によって防ぐことができる。また、中空パッキング材の内側から反力を得て確実に気密に封止することができる。
【００１４】
（２）請求項２記載の発明によれば、締付けハンドルを、断熱扉の上部及び下部側の２箇所に設けることにより、断熱扉の縁部における変形を更に確実に阻止することができるので、上記（１）に加えて、更に気密性及び断熱性の保持が図れる。
【００１５】
（３）請求項３記載の発明によれば、扉パッキンを構成する中空パッキング材内の中実材を断面円形とすることにより、中空パッキング材、及びそれと接する庫口枠との密着性が向上し、中空パッキング材の内側面を均一に中実材に当接させることができるので、上記（１），（２）に加えて、更に中空パッキング材と相手方の庫口枠との間における気密性を更に確実にすることができる。
【発明を実施するための最良の形態】
【００１６】
以下、この発明の最良の形態について、添付図示に基づいて詳細に説明する。
【００１７】
図１（ａ）はこの発明の実施例に係る温蔵庫の正面部分を示す図、図１（ｂ）はそのＡ部の拡大断面図、図２は図１（ａ）の縦断面図であって、扉パッキンが庫口枠に当接する直前の状態を示す。
【００１８】
この温蔵庫１は、調理物を所定温度に保っておくための断熱性を有する庫体１０と、この庫体１０に対して開閉可能にヒンジ連結された断熱扉２０とで主に構成されている。
【００１９】
図２に示すように、庫体１０は、金属製の外箱１１と金属製の内箱１２との間に例えば発泡ウレタン製の断熱材１３を充填した箱状に形成されている。また、断熱扉２０は、庫体１０と同様に金属製の外板２１と金属製の内板２２との間に例えば発泡ウレタン製の断熱材２３を充填した断熱構造に形成されている。
【００２０】
庫体１０の正面壁には、調理物を出し入れする出入口として庫口１４が設けられており、その開口縁の正面部には庫口枠１５が開口縁に沿って配設されている。この庫口枠１５は、図１（ａ）に示すように、その断熱扉２０と重なる内側部分１５ａと、重ならないで露出する外側部分１５ｂとから成る。図１（ｂ）に示すように、断熱扉２０と重なる内側部分１５ａには、例えばアルミニウム製の押出形材にて形成される当接用板材１６が配設されており、この当接用板材１６は開口縁の内面部（端面部）に設けた開口内枠材１７に取り付けられている。なお、当接用板材１６の裏面側には、ヒーター線（図示せず）を収容する送通孔１６ａが長手通しに形成されている。
【００２１】
一方、図１（ａ）に示すように、断熱扉２０は、その一側が、上記庫口枠１５の外側部分１５ｂに、ヒンジ２４によって、庫体１０の庫口１４を閉塞するように開閉自在に枢支されている。また、断熱扉２０の自由端側は、ラッチ錠２５とラッチ受け２７とから成るラッチ装置によって庫口枠に係合となっている。ここでは、ヒンジ２４は上中下の３箇所に設けられている。また、ラッチ錠２５は断熱扉２０の自由端側に上下２箇所において設けており、連動ハンドル２６で連結されていると共に、この各ラッチ錠２５を、庫口枠１５の外側部分１５ｂに装着したラッチ受け２７に係合させている。
【００２２】
また、上記断熱扉２０の自由端側における上部及び下部側の２箇所には、断熱扉の膨出変形を防止する締付けハンドル１８が設けられている。この場合、締付けハンドル１８は、図３に示すように、断熱扉２０側に固定された取付座１８ａに回転自在に枢着される操作ハンドル部１８ｂの先端に係合片１８ｃを形成し、操作ハンドル部１８ｂを回動操作することによって係合片１８ｃを、庫口枠１５の外側部分１５ｂに装着された受け具１８ｄに突入させることにより、断熱扉２０を庫口枠１５に押し付けることができる構造となっている。
【００２３】
上記のように構成することにより、内部の圧力によって上記断熱扉が外側に膨出（変形）し、ラッチ装置（ラッチ錠２５、ラッチ受け２７）のみでは気密状体が不完全となる場合でも、締付けハンドル１８を設けることにより、その不完全性をなくすことができる。
【００２４】
上記断熱扉２０の内側面の周縁部には、弾性変形可能な長尺状の扉パッキン３０が方形枠状となって装着されており、庫体１０の庫口１４に対して断熱扉２０を閉じた状態において、庫口枠１５の当接用板材１６に弾性的に密接し、温蔵庫の庫体１０の内部の密閉を保持する構成になっている。
【００２５】
上記扉パッキン３０は、例えばシリコンゴムのような合成ゴム製であり、図１（ｂ）に示すように、長手通しの弾性変形可能な中空パッキング材３１と、その中空パッキング材３１の中空部内に配設した長手通しの断面円形の中実材３２により構成されている。この場合、中空パッキング材３１の取付基部側にパッキン取付部材３３が固着されており、このパッキン取付部材３３を、断熱扉２０の内側面の周縁部に設けた合成樹脂製の枠材２８に設けられた狭隘開口状の嵌合溝２８ａに嵌合することで、中空パッキング材３１が取り付けられている。
【００２６】
上記のように構成することにより、中空パッキング材３１が相手方の庫口枠１５の当接用板材１６に当接した際、中空パッキング材３１は、その内部に配設される中実材３２により内側（裏側）から押さえられる。このため、中空パッキング材３１の内側から反力を得て、温蔵庫内部を確実に気密に封止することができる。また、中空パッキング材３１内の中実材３２は断面円形をしているため、中空パッキング材３１はその内側面が均一に中実材３２で押圧され、相手方の庫口枠１５の当接用板材１６に確実に気密に当接することができる。
【図面の簡単な説明】
【００２７】
【図１】この発明に係る温蔵庫を示したもので、（ａ）はその正面図、（ｂ）はそのＡ部の拡大断面図である。
【図２】この発明に係る温蔵庫の縦断図である。
【図３】この発明における締付けハンドルの取付状態を示す正面図である。
【符号の説明】
【００２８】
１０  庫体
１４  庫口
１５  庫口枠
１８  締付けハンドル
２０  断熱扉
２４  ヒンジ
２５  ラッチ錠
２７  ラッチ受け
３０  扉パッキン
３１  中空パッキング材
３２  中実材
【図１】
2006296900.tif 000003
【図２】
2006296900.tif 000004
【図３】
2006296900.tif 000005